(57)【要約】【課題】ダクト内部の流れが複雑な場合であっても、好適に壁面圧力の平均値を計測する。【解決手段】インテークダクト３１内部の壁面圧力を計測する壁面圧力計測構造であって、インテークダクト３１の壁面のうち、当該インテークダクト３１の延在方向と直交する検査面Ｓにおける互いに異なる周方向位置に、複数の計測孔３２が形成され、インテークダクト３１の外周側に、複数の計測孔３２の各々と連通されたチャンバー３３が設けられ、チャンバー３３が圧力計２６と一の圧力配管２５で接続されている。【選択図】図４
2019078703.tif 000002
【特許請求の範囲】
【請求項１】
ダクト内部の壁面圧力を計測する壁面圧力計測構造であって、
前記ダクトの壁面のうち、当該ダクトの延在方向と直交する検査面における互いに異なる周方向位置に、複数の計測孔が形成され、
前記ダクトの外周側に、前記複数の計測孔の各々と連通された一の圧力室が設けられ、
前記一の圧力室が圧力計と一の圧力配管で接続されていることを特徴とする壁面圧力計測構造。
【請求項２】
前記ダクトが、航空機の模型に設けられたインテークダクトであることを特徴とする請求項１に記載の壁面圧力計測構造。
【請求項３】
風洞と、
前記風洞内に気流を発生させる送風機と、
請求項２に記載の壁面圧力計測構造と、
を備え、
前記風洞内で気流を受けたときの前記模型のインテークダクト内部の壁面圧力を計測することを特徴とする風洞試験装置。
【発明の詳細な説明】
【技術分野】
【０００１】
本発明は、ダクト内部の壁面圧力の平均値を計測する技術に関する。
【背景技術】
【０００２】
航空機に作用する気流の影響を模擬した風洞試験は、機体を模した模型周りの流れや、模型に作用する空気力などを調べるために行われる（例えば、特許文献１参照）。
このような風洞試験において、模型に作用する外部荷重を算出する場合、模型全体に作用する荷重計測値から、気流によるインテークダクト（空気取り入れ口）内部の空力荷重を除外する必要がある。インテークダクトの内部荷重は、ダクト出口付近の総圧および壁面圧力の計測値から算出される。
【０００３】
この壁面圧力には、周方向の分布を加味するために、ダクト出口付近の検査面における平均値が用いられる。具体的には、図５に示すように、検査面内に設けられた複数の計測孔が圧力配管を介して個別に圧力計に接続されており、各計測孔での圧力が計測されて、その平均値が算出される。
【先行技術文献】
【特許文献】
【０００４】
【特許文献１】特開平１０−２６７７８６号公報
【発明の概要】
【発明が解決しようとする課題】
【０００５】
この壁面圧力の平均値をより正確に計測・算出するためには、できるだけ計測点数（計測孔）を増やす必要がある。
しかしながら、単純に計測点数を増加させると、それに伴って圧力配管数も増えるため、圧力配管に作用する荷重が計測値に含まれることに起因して、計測精度の低下を招いてしまう。そこで従来は、圧力配管による過度の干渉荷重の増加を招かないように、３点程度の少ない計測点数に抑えざるを得なかった。そのため、周方向の圧力分布を精度良く計測することが難しく、ダクト内部の流れが複雑な場合には適用が困難であった。
【０００６】
本発明は、上記課題を解決するためになされたもので、ダクト内部の流れが複雑な場合であっても、好適に壁面圧力の平均値を計測できるようにすることを目的とする。
【課題を解決するための手段】
【０００７】
上記目的を達成するために、請求項１に記載の発明は、ダクト内部の壁面圧力を計測する壁面圧力計測構造であって、
前記ダクトの壁面のうち、当該ダクトの延在方向と直交する検査面における互いに異なる周方向位置に、複数の計測孔が形成され、
前記ダクトの外周側に、前記複数の計測孔の各々と連通された一の圧力室が設けられ、
前記一の圧力室が圧力計と一の圧力配管で接続されていることを特徴とする。
【０００８】
請求項２に記載の発明は、請求項１に記載の壁面圧力計測構造において、
前記ダクトが、航空機の模型に設けられたインテークダクトであることを特徴とする。
【０００９】
請求項３に記載の発明は、風洞試験装置であって、
風洞と、
前記風洞内に気流を発生させる送風機と、
請求項２に記載の壁面圧力計測構造と、
を備え、
前記風洞内で気流を受けたときの前記模型のインテークダクト内部の壁面圧力を計測することを特徴とする。
【発明の効果】
【００１０】
本発明によれば、複数の計測孔の各々と連通された一の圧力室内で圧力が平均化され、この平均化された圧力が一の圧力配管を通じて圧力計で計測される。
そのため、平均化された壁面圧力を直接計測することにより、壁面圧力の平均値を高精度に計測することができる。また、計測孔と圧力計を個別の圧力配管で接続していた従来と異なり、計測点数に依らず一の圧力配管のみで計測を行えるため、圧力配管による干渉荷重を増加させることなく計測点数を増やすことができる。
したがって、ダクト内部の流れが複雑な場合であっても、好適に壁面圧力の平均値を計測することができる。
【図面の簡単な説明】
【００１１】
【図１】実施形態における風洞試験装置の概略構成を示す図である。
【図２】実施形態における模型の斜視図である。
【図３】実施形態における模型のうち、インテークダクトの延在方向に沿った断面図である。
【図４】実施形態におけるインテークダクトの検査面での断面図である。
【図５】従来の壁面圧力計測構造を説明するための図である。
【発明を実施するための形態】
【００１２】
以下、本発明に係る壁面圧力計測構造を風洞試験装置に適用した場合の実施形態について、図面を参照して説明する。
【００１３】
図１は、本実施形態における風洞試験装置１の概略構成を示す図であり、図２は、風洞試験装置１に設置される模型３の斜視図である。また、図３は、模型３のうち、インテークダクト３１の延在方向に沿った断面図であり、図４は、後述する検査面Ｓでのインテークダクト３１の断面図である。
【００１４】
図１に示すように、本実施形態における風洞試験装置１は、航空機に作用する外部荷重等を測定するものであり、航空機を模した模型３と、模型３の機体前方から気流Ｆを発生させる送風機４とを、風洞２内に備えている。
【００１５】
模型３は、風洞２内の測定部に立設された支持部材２１から送風方向上流側に向けて突設されたスティング２２の先端に、天秤２３を介して取り付けられている。
天秤２３は、図２に示すように、模型３の胴体３０内部に設けられており、模型３全体に作用する空気力を計測する。
【００１６】
模型３に作用する外部荷重は、天秤２３で計測される模型３全体に作用する空気力から、模型３のインテークダクト３１内部に作用する空力荷重を除外することで算出される。インテークダクト３１内部に作用する空力荷重は、実際の航空機では推力の一部と見做されるためである。
インテークダクト３１内部に作用する空力荷重は、図３に示すように、インテークダクト３１の出口付近での総圧及び壁面圧力（静圧）から算出される。より詳しくは、インテークダクト３１の延在方向と直交する検査面Ｓにおける総圧及び壁面圧力が計測され、これらの計測値から空力荷重が算出される。
【００１７】
このうち、総圧は、多点計測可能なピトー管２４によって計測される。このピトー管２４は、各先端が検査面Ｓ上に位置するように、開口した後端からインテークダクト３１内に挿し込まれた状態に配置され、スティング２２に固定されている。
【００１８】
一方、壁面圧力は、図４に示すように、インテークダクト３１の壁面のうち、検査面Ｓ上に形成された複数（本実施形態では８つ）の計測孔３２における静圧の平均値として計測される。
具体的に、複数の計測孔３２は、検査面Ｓにおける互いに異なる周方向位置に周上等配に形成されている。これら複数の計測孔３２は、その外周側に設けられた環状のチャンバー３３に全てが連通されている。そして、このチャンバー３３が単一の圧力配管２５を介して圧力計２６と圧力計測可能に接続されている。
これにより、チャンバー３３内で平均化された複数の計測孔３２における静圧が圧力計２６で計測される。
【００１９】
以上のように、本実施形態によれば、複数の計測孔３２の各々と連通されたチャンバー３３内で圧力が平均化され、この平均化された圧力が一の圧力配管２５を通じて圧力計２６で計測される。
そのため、平均化された壁面圧力を直接計測することにより、壁面圧力の平均値を高精度に計測することができる。また、計測孔と圧力計を個別の圧力配管で接続していた従来と異なり、計測点数（計測孔３２の数量）に依らず単一の圧力配管２５のみで計測を行えるため、圧力配管２５による干渉荷重を増加させることなく計測点数を増やすことができる。
したがって、インテークダクト３１内部の流れが複雑な場合であっても、好適に壁面圧力の平均値を計測することができる。
【００２０】
なお、本発明を適用可能な実施形態は、上述した実施形態に限定されることなく、本発明の趣旨を逸脱しない範囲で適宜変更可能である。
【００２１】
例えば、上記実施形態では、チャンバー３３がインテークダクト３１に設けられることとした。しかし、当該チャンバー３３は、複数の計測孔３２での圧力を好適に平均化させることができればその構成は特に限定されず、例えばインテークダクト３１とは別体であってもよいし、環状に設けられていなくともよい。
【００２２】
また、上記実施形態では、本発明に係る壁面圧力計測構造を風洞試験装置１に適用して、航空機の模型３におけるインテークダクト３１の壁面圧力を計測する場合について説明した。しかし、本発明に係る壁面圧力計測構造は、このような計測例に限定されず、ダクト内部の壁面圧力の計測に対して広く適用可能である。
【符号の説明】
【００２３】
１      風洞試験装置
２      風洞
２５  圧力配管
２６  圧力計
３      模型
３０  胴体
３１  インテークダクト
３２  計測孔
３３  チャンバー
４      送風機
Ｆ      気流
Ｓ      検査面
【図１】
2019078703.tif 000003
【図２】
2019078703.tif 000004
【図３】
2019078703.tif 000005
【図４】
2019078703.tif 000006
【図５】
2019078703.tif 000007